(57)【要約】【課題】  ネットワークを介して電源投入できるネットワーク装置において、モニタ画面を持つネットワーク装置では、ネットワーク経由での電源制御によって装置全体の電源が投入され不必要なモニタ画面の電源が入ってしまう場合がある。【解決手段】  電源制御手段は電源投入信号の入力元で電源投入する機能を判断する。ネットワーク経由で電源を投入された時は本体機能手段の電源だけを投入し、制御コマンド検知手段がモニタ画面を使用する機能を要求するコマンドを検知して始めてモニタ画面の電源を投入する。【選択図】  図２
2014078946.tif 000002
【特許請求の範囲】
【請求項１】
他のネットワーク装置とネットワークを介して接続されるコンテンツ受信配信装置であって、
コンテンツを出力する表示手段と、
前記ネットワークを介して送信される電源投入要求を検知した場合に、第一の電源投入信号を出力する電源投入要求検知手段と、
（１）前記他のネットワーク装置に対して制御コマンドで前記コンテンツ受信配信装置を制御するネットワーク機能を提供し、前記ネットワーク機能の１つはネットワークを介して他のネットワーク装置から受信したコンテンツを前記表示手段で再生するコンテンツ受信再生機能であり、（２）他のネットワーク装置からの前記制御コマンドを処理し、（３）前記制御コマンドが前記コンテンツ受信再生機能に対する制御であった場合には第二の電源投入信号を出力する、メイン制御手段と
前記第一の電源投入信号が出力された場合は、メイン制御手段の電源を投入し、前記第二の電源投入信号が出力された場合は前記表示手段の電源を投入する電源制御手段と、
を備えることを特徴とするコンテンツ受信配信装置。
【請求項２】
請求項１に記載のコンテンツ受信配信装置であって、
前記コンテンツ受信配信装置はコンテンツを記憶する記憶手段を備え、
前記メイン制御手段は、前記ネットワーク機能の１つとして、他のネットワーク装置からの要求に従って、前記記憶手段に記録したコンテンツの一覧情報を前記他のネットワーク装置に配信する機能を他のネットワーク装置に提供し、前記制御コマンドが前記コンテンツの一覧情報を配信する機能に対する制御であった場合には第二の電源投入信号を出力しない、
ことを特徴とするコンテンツ受信配信装置。
【請求項３】
請求項１または２に記載のコンテンツ受信配信装置であって、
前記コンテンツ受信配信装置はコンテンツを記憶する記憶手段を備え、
前記メイン制御手段は、前記ネットワーク機能の１つとして、他のネットワーク装置からの要求に従って、前記記憶手段に記録したコンテンツを前記他のネットワーク装置に配信するコンテンツ配信機能を他のネットワーク装置に提供し、前記制御コマンドが前記コンテンツ配信機能に対する制御であった場合には第二の電源投入信号を出力しない、
ことを特徴とするコンテンツ受信配信装置。
【発明の詳細な説明】
【技術分野】
【０００１】
本発明は、ネットワークを介して映像コンテンツを受信し、再生するネットワーク装置に関するものであり、特に、ネットワークを介して電源の投入、あるいは遮断が可能なネットワーク装置、及び、ネットワーク装置の電源制御方法に関するものである。
【背景技術】
【０００２】
昨今、ＤＬＮＡ（Ｄｉｇｉｔａｌ Ｌｉｖｉｎｇ Ｎｅｔｗｏｒｋ Ａｌｌｉａｎｃｅ）
に代表されるコンテンツ共有標準化ガイドラインに対応したデジタルＡＶ装置が出現してきている。ネットワーク対応装置では省電力の観点から、使用していないときは電源を落とし、必要なときにネットワーク経由で相手装置の電源を投入してから使用するといった使い方が一般的になると思われる。このようなネットワーク経由の電源投入技術にはＷＯＬ（Ｗａｋｅ  Ｏｎ  ＬＡＮ）対応のマジックパケットなどが使われる。一方、コンテンツ配信機能とコンテンツ受信機能の両方を備えたネットワークＴＶの場合、コンテンツ配信装置として使われる場合はネットワークＴＶ本体のモニタ画面には何も表示する必要が無く、モニタ画面の電源は投入しないのが望ましい。特許文献１では、ネットワーク装置を機能ブロック単位で電源制御を行えるようにし、制御命令に基づいて夫々の機能ブロックについて電源投入と切断の判定を行い、不要な機能の電源を投入しないようにしている。
【先行技術文献】
【特許文献】
【０００３】
【特許文献１】特開２００３−９０３５号公報
【発明の概要】
【発明が解決しようとする課題】
【０００４】
従来の技術では制御装置が制御対象装置の機能ブロックを認識し、夫々に電源制御を指示しなくてはならなかった。しかしながら、ネットワーク装置の機能は多様化しており、ＴＶ機能、レコーダ機能、コンテンツ配信機能、コンテンツ受信機能を備えた高機能装置や、コンテンツ受信機能だけを備えた単機能装置が混在すると考えられる。単機能装置では自身が必要とする機能以外は認識できない可能性が高く、また、機能単位の電源制御のために新たな制御コマンドに対応することも困難であると考える。
【０００５】
本発明は、このような問題を解決するために、制御装置には特別な電源制御コマンドを必要としないネットワーク装置のモニタ画面の電源制御方法と、制御装置が被制御装置に送信する通常の制御コマンドでモニタ画面の電源制御を行うネットワーク装置（被制御装置）を提供することを目的とする。
【課題を解決するための手段】
【０００６】
上記目的を達成するために、本発明によるネットワーク装置は、ネットワークを介して送信される電源投入要求を検知する電源投入要求検知手段と、表示手段とそれ以外の機能手段（以下、本体機能手段と記す）の電源を個別に投入したり、遮断する電源制御手段と、他のネットワーク装置から送信される機器制御コマンドの中から、表示(モニタ)画面を使用する機能を要求するコマンドを検知する制御コマンド検知手段とで構成する。電源投入要求検知手段と電源制御手段はネットワーク装置全体の電源がＯＦＦの時も電源投入待機のため常に電源が投入されていて稼動しており、制御コマンド検知手段は本体機能手段の電源が投入されてから稼動する。
【０００７】
電源投入要求検知手段はネットワーク経由でネットワーク装置に電源投入するために一般的に使用されるパケットを検知する手段で、電源投入要求を受けると電源制御手段に電源投入信号を出力する。制御コマンド検知手段は自身が他のネットワーク装置に提供している制御コマンドの内、少なくともモニタ画面を使用する機能を要求するコマンドを検知したら電源制御手段に電源投入信号を出力する。
【０００８】
電源制御手段は、リモコンと電源投入要求検知手段と制御コマンド検知手段から電源投入信号を入力され、電源投入信号の入力元で電源投入する機能を判断する。電源投入信号の入力元がリモコンの時は表示手段と本体機能手段の電源を投入し、ネットワーク装置全体電源を入れる。電源投入信号の入力元が電源投入要求検知手段の時は表示手段以外の機能手段の電源を投入する。制御コマンド検知手段から電源投入信号が入力されたときは表示手段の電源を投入する。
このように電源制御することにより、ネットワークを介して制御されるときはモニタ画面を使用する機能を要求された時だけ画面の電源が投入される。
【０００９】
本発明によれば、電源制御手段が電源投入信号の入力元で電源投入する機能を判断する。すなわち、ネットワーク経由で電源を投入された時は本体機能手段の電源だけを投入し、制御コマンド検知手段がモニタ画面を使用する機能を要求するコマンドを検知して始めてモニタ画面の電源を投入する。したがって、一般的に使用されるネットワーク経由の電源投入の仕組みと、ネットワーク装置が提供する制御コマンドを用いて通常のネットワーク操作を行いながら必要な時だけ画面の電源が投入できるネットワーク装置を提供できる。
そして不要なモニタの電源を付けないので節電が可能となり、さらに、制御装置側は通常のネットワーク制御と同じ制御で実現することができる。
【発明の効果】
【００１０】
通常のネットワーク操作を行いながら必要な時だけ画面の電源が投入でき、節電を可能とするネットワーク装置を提供できるという効果がある。
【図面の簡単な説明】
【００１１】
【図１】本発明の実施例に係るネットワーク装置のユースケースである。
【図２】実施例１に係るネットワーク装置の構成の一例である。
【図３】制御装置の構成の一例である。
【図４】ユースケース２における処理シーケンスの一例である。
【図５】ユースケース１における処理シーケンスの一例である。
【図６】ユースケース１、２の要求が重なった場合の処理シーケンスの一例である。
【図７】電源制御手段における電源投入処理の処理フローの一例である。
【図８】電源制御手段における電源遮断処理の処理フローの一例である。
【図９】電源制御検知機能における処理フローの一例である。
【図１０】実施例２に係るネットワーク装置の構成の一例である。
【発明を実施するための形態】
【００１２】
以下、本発明の実施の形態について図面を用いて説明する。
【実施例１】
【００１３】
図１は本発明に係るネットワーク装置のユースケースの一例である実施例１を表すものである。ネットワーク１を介して２、３、４、５の装置が接続されている。２のネットワークＴＶ・サーバーは本発明に係るネットワーク装置で他のネットワーク装置にコンテンツ配信機能とコンテンツ再生機能を提供する。３のネットワークＴＶはネットワーク上のコンテンツサーバーを制御しコンテンツを再生する制御装置である。４のコンテンツサーバーは他のネットワーク装置にコンテンツサーバー機能を提供するネットワーク装置である。ネットワークリモコン５はネットワーク上のネットワーク装置を制御する機能を備えた制御装置である。１０と１１はコンテンツの流れで、コンテンツがどの装置からどの装置に配信されるかの向きを矢印で示している。
なお、図１ではネットワーク１を有線ネットワークの様に表現しているが、物理層の限定はなく無線ネットワークでも良く、また、有線と無線のネットワークが混在していても良い。
【００１４】
図１は本発明に係るネットワーク装置２を２つのユースケースで利用している様子を表している。
ユースケース１はコンテンツの流れ１０の場合である。ネットワークＴＶ３は、ネットワークＴＶ・サーバー２がネットワークに提供するコンテンツ配信機能を制御し、ネットワークＴＶ・サーバー２内のコンテンツを取得し、視聴している。ユースケース１ではネットワークＴＶ・サーバー２のコンテンツ配信機能が使われるが、この時、ネットワークＴＶ・サーバー２のモニタ画面を使う必要は無い。従って、このようなユースケースではモニタ画面の電源は投入しないよう制御すべきである。
【００１５】
ユースケース２はコンテンツの流れ１１の場合である。ユーザがネットワークリモコン５をユーザーコンテンツサーバー４のコンテンツをネットワークＴＶ・サーバー２で視聴している。このユースケースではネットワークＴＶ・サーバー２のモニタ画面の電源が投入されていなくてはならない。
【００１６】
このように、ネットワークを介して同じネットワーク装置を利用する場合でもユースケースによってモニタ画面を投入しなくてはならないケースと、モニタ画面の電源を投入しないよう電源制御すべきケースがある。
本発明では、ネットワーク装置がネットワークに提供するどの機能に制御コマンドが送信されているか、あるいはどんな制御コマンドが送信されているかで、ネットワーク装置を制御しているユーザーがモニタ画面を使うか、使わないかを判断し、モニタ画面の電源を制御する。
【００１７】
図２は本発明に係るネットワーク装置２の構成の一例である。
２０はネットワークＩ／Ｆ手段である。２１は電源投入要求検知手段である。ネットワーク装置２全体の電源が遮断されている時に、ネットワーク経由でネットワーク装置に電源投入するために送信される電源投入パケットを検知し、電源制御手段２２に電源投入信号を出力する。ここでは、電源投入パケットについては特に限定しないが、例えば、ＷＯＬ（Ｗａｋｅ  Ｏｎ  ＬＡＮ）対応のマジックパケットなどを使う。電源制御手段２２は、入力される電源投入信号等でどのように制御するかを判断し、ネットワーク装置２の電源を機能ブロック単位で投入したり、遮断する制御を行う。表示手段２３はコンテンツ受信再生手段２５が受信したコンテンツを表示する。電源制御手段２２の制御によって表示手段２３部分の電源を投入したり、遮断したりできる。メイン機能手段２４は信号処理などネットワーク装置２をネットワークＴＶ・サーバーとして機能をさせる全体処理を行う。
【００１８】
メイン機能手段２４も表示手段２３と同様に電源制御手段２２の制御によって電源を投入したり、遮断したりできる。コンテンツ配信手段２６とコンテンツ受信再生手段２５はメイン機能手段２４に含まれ、メイン機能手段２４部分の電源が投入された時は、コンテンツ配信手段２６とコンテンツ受信再生手段２５にも電源が投入され稼動状態となり、電源が遮断されているとききはコンテンツ受信再生手段２５も電源が遮断され非稼動状態となる。コンテンツ受信再生手段２５とコンテンツ配信手段２６はネットワークを介してネットワーク装置２の機能を利用する手段を提供するネットワーク機能２８とネットワーク機能へ制御コマンドの送信を検知して、その制御に応じて電源制御手段２２に自装置の電源操作を要求したり、ネットワーク機能の使用状態を通知する電源制御信号を出力する。
【００１９】
コンテンツ配信手段２６のネットワーク機能２８はネットワーク装置が持っているコンテンツを他の装置に配信するコンテンツ配信機能で、配信可能なコンテンツ一覧のリストや、コンテンツのフォーマットや転送プロトコル情報の提供などコンテンツ配信に必要な機能を提供する。コンテンツ配信手段２６は図１で説明したユースケース１のような用途で使われる。コンテンツ受信再生手段２５のネットワーク機能２８はネットワークを介してネットワーク装置２でコンテンツを再生させる手段で、再生できるコンテンツのフォーマットやプロトコル情報の提供、一時停止、シークなど再生時のオペレーションＩ／Ｆなどコンテンツ配信に必要な機能を提供する。コンテンツ受信再生手段２５は図１で説明したユースケース２のような用途で使われる。各々のネットワーク機能２８の実装手段についてはここでは言及しないが、コンテンツ配信手段２５はＵＰｎＰ（Ｕｎｉｖｅｒｓａｌ Ｐｌｕｇ ａｎｄ Ｐｌａｙ）ＡＶのＭｅｄｉａ Ｓｅｒｖｅｒ、コンテンツ受信再生手段２５はＭｅｄｉａ Ｒｅｎｄｅｒｅｒなどで実現できる。
【００２０】
図３に制御装置３、５の構成の一例を示す。図３は制御装置として機能するための構成であり、夫々の装置の機能を実現するための要素はここでは省略している。２０はネットワークＩ／Ｆ手段である。電源投入要求手段３１はネットワーク経由で他のネットワーク装置の電源を投入する手段である。方式についてはここでは特に限定しないが、例えば、ＷＯＬ対応のマジックパケットを送信する方式を用いる。なお、制御装置３、５とネットワーク装置２、４は夫々の電源が入っている状態で接続されたことがあり、電源投入に要求を送出するための情報、例えば、電源を投入する装置のＭＡＣアドレスなどを保持している。
【００２１】
ネットワーク装置制御手段３２はネットワーク上に機能を提供する装置を制御する手段で、制御するネットワーク装置の機能に対応した制御手段を備える。一例として、コンテンツ受信再生手段２５を制御するコンテンツ受信再生制御手段３３と、コンテンツ配信手段２６を制御するコンテンツ配信制御手段３４を備える。ここではネットワーク装置制御手段、コンテンツ受信再生制御手段３３、コンテンツ配信制御手段３４の実現方法を特に限定しないが、ＤＬＮＡガイドラインに沿った方式や、ＵＰｎＰデバイスアーキテクチャのＣＰ（Ｃｏｎｔｒｏｌ Ｐｏｉｎｔ）として実装できる。
【００２２】
以下、本発明における電源制御処理について図４を用いて説明する。
図４はユースケース２の場合の、ネットワーク装置２の電源制御処理シーケンスの一例である。図中太枠の四角は図1の装置を表す。すなわち、２は本発明に係るネットワーク装置（ネットワークＴＶ・サーバー）、４がコンテンツサーバーであり、５のネットワークリモコンが２と４の提供するネットワーク機能を用いて夫々を制御する。太枠四角２の中の細枠の四角２１、２２、２３、２４（２５）は図２の各機能ブロックに対応する。また、各機能ブロックから延びる縦線は処理の時間軸を示し、その線が実線の場合は対応する機能ブロックに電源が投入されており、破線の場合は電源が遮断されていることを示している。すなわち、図４の場合は、４がコンテンツサーバーと５のネットワークリモコンは電源が投入されていることを表している。２のネットワーク装置は、表示手段２３とメイン機能２４の電源が遮断されていて、電源制御手段２２とネットワークからの電源投入要求検知手段２１、および、図４には描かれていない２０ネットワーク手段の電源が投入されている電源投入待ちの状態であることを示している。
【００２３】
ネットワーク装置２の電源が投入されていないことを検知したネットワークリモコン５は、ネットワーク装置２に電源投入要求を送出する（Ｓ４０１）。なお、この電源投入要求はネットワーク経由での電源投入に一般的な、例えば、ＷＯＬ対応のマジックパケットである。電源投入要求を検知した電源投入検知手段２１は電源制御手段２２に電源投入信号を出力する（Ｓ４０２）。電源制御手段２２は後述する電源投入処理シーケンス（Ｓ７００）に従ってどの機能ブロックの電源を投入するかを判断し、メイン部（２４）の電源を投入する（Ｓ４０３）。このメイン部の電源投入により、コンテンツ受信再生手段２５も稼動状態となる。
【００２４】
一方、ネットワークリモコン５は、ユーザーに再生コンテンツを選択させるため、コンテンツサーバーにコンテンツ情報要求コマンドを送出し（Ｓ４０４）、応答としてコンテンツ情報リストを受け取る（Ｓ４０５）。そしてユーザーが選択（Ｓ４０６）したコンテンツを、ネットワーク装置２で視聴するために、ネットワーク装置２にコンテンツの場所指定コマンド（Ｓ４０７）とコンテンツ再生要求コマンド（Ｓ４０９）をネットワーク装置２のコンテンツ受信再生手段２５に送出する。ここで使用するコマンドおよび、コマンドの通信プロトコルはＤＬＮＡガイドラインに従った方式など一般的なもので良い。
【００２５】
コンテンツの場所指定コマンドを受信したコンテンツ受信再生手段２５はネットワーク機能でのコマンドに対応する処理と、後述する電源制御検知機能での処理シーケンス（Ｓ９００）に従った電源制御処理を開始する。コンテンツ受信再生手段２５にとって最初のクライアントからコマンド受信すると、機能ブロック識別子と、この機能ブロックが表示画面を使用するかしないかを示す画面使用フラグをパラメータに「使用開始信号」を電源制御手段２２へ出力する（Ｓ４０８）。このケースの場合、画面使用フラグは「使用」である。さらに、コンテンツ再生要求コマンドを受信すると電源制御手段２２へ「電源投入信号」を出力する（Ｓ４１０）。
【００２６】
「電源投入信号」を受けた電源制御手段２２は電源投入処理シーケンス（Ｓ７００）に従っての表示手段２３の電源を投入する（Ｓ４１１）。コンテンツ受信再生手段２５のネットワーク機能では、コンテンツの場所指定コマンドで指令されたネットワーク装置（コンテンツサーバー４）にコンテンツ要求コマンドを送出し（Ｓ４１２）、その応答としてコンテンツ配信（Ｓ４１３）を受け、受信したコンテンツを表示手段２３で再生する（Ｓ４１４）。
【００２７】
コンテンツを視聴していたユーザーがコンテンツ視聴終了を指示する（Ｓ４１５）と、ネットワークリモコン５はネットワーク装置２とコンテンツサーバー４の両方にコンテンツ転送終了コマンドを送信する（Ｓ４１６、Ｓ４１７）。
コンテンツ転送終了コマンドを受信したコンテンツ受信再生手段２５のネットワーク機能は電源制御手段２２へ「電源遮断信号」を出力し（Ｓ４１８）、それを受けた電源制御手段２２は表示手段２３の電源を遮断する。
このように制御することで、ユーザーがネットワーク装置２の表示手段を使用するときだけ表示手段の電源を投入する事が出来る。
【００２８】
図５はユースケース１の場合の、ネットワーク装置２の電源制御処理シーケンスの一例である。このケースの場合もネットワーク装置２は電源投入待ちの状態である。
図４での処理と同様にネットワーク装置２の電源が投入されていないことを検知したネットワークＴＶ３は、ネットワーク装置２に電源投入要求を送出する（Ｓ５０１）。電源投入要求を検知した電源投入検知手段２１は電源制御手段２２に電源投入信号を出力する（Ｓ５０２）。電源制御手段２２は後述する電源投入処理シーケンス（Ｓ７００）に従ってどの機能ブロックの電源を投入するかを判断し、メイン部（２４）の電源を投入する（Ｓ５０３）。このメイン部の電源投入により、コンテンツ配信手段２６も稼動状態となる。
【００２９】
さらに、ネットワークＴＶ３はユーザーに再生コンテンツを選択させるため、ネットワーク装置２のコンテンツ配信手段２６にコンテンツ情報要求コマンドを送出し（Ｓ５０４）、応答としてコンテンツ情報リストを受け取る（Ｓ５０６）。
コンテンツ情報要求コマンを受信したコンテンツ配信手段２６はネットワーク機能でのコマンドに対応する処理と、後述する電源制御検知機能での処理シーケンス（Ｓ９００）に従った電源制御処理を開始する。コンテンツ配信手段２６にとって最初のクライアントからコマンド受信すると、機能ブロック識別子と、この機能ブロックが表示画面を使用するかしないかを示す画面使用フラグをパラメータに「使用開始信号」を電源制御手段２２へ出力する（Ｓ５０５）。このケースの場合、画面使用フラグは「不使用」である。コンテンツ配信手段２６のネットワーク機能は、コンテンツ情報要求コマンドの返信として、ネットワーク配信可能なコンテンツのコンテンツ情報リストを返す（Ｓ５０６）。
【００３０】
ネットワークＴＶ３はコンテンツ情報リストからユーザーにコンテンツを選択させ（Ｓ５０７）、該当コンテンツのコンテンツ要求コマンドをネットワーク装置２のコンテンツコンテンツ配信手段２６に送出し（Ｓ５０８）、その応答としてコンテンツ配信手段２６からコンテンツ配信を受け（Ｓ５０９）、コンテンツ再生（Ｓ５１０）する。ユーザーがコンテンツ視聴を終了（Ｓ５１１）したらネットワークＴＶ３はコンテンツ配信手段２６にコンテンツ転送終了コマンドを送信し（Ｓ５１２）する。
【００３１】
一方、電源制御検知機能はネットワーク機能のクライアントが居なくなって所定時間以上コマンドを受信しない状態が継続するとタイムアウトを発生し、電源制御手段２２に「使用終了通知」信号を出力する（Ｓ５１３）。電源制御手段２２は全てのネットワーク機能のクライアントが無く、本体機能も使用されていないと判断するとメイン部の電源を遮断（Ｓ５１４）し、ネットワーク装置２は再び電源投入待ちの状態となる。
このように制御することで、ネットワーク装置２は使用されなくなったときは電源を遮断し、電源投入待ちの状態に戻す事が出来る。
【００３２】
図６はユースケース１で使用中にユースケース２が起こった場合の、ネットワーク装置２の電源制御処理シーケンスの一例である。図中、図４及び図５と同じ処理は同じステップ番号で表し、処理の説明は電源制御処理に関わる部分のみとする。
電源投入待ち状態のネットワーク装置２の電源制御手段２２はネットワークＴＶ３からの電源投入要求（Ｓ５０１）によってメイン部（２４）の電源を投入する（Ｓ５０３）。
さらに、ネットワークＴＶ３のコンテンツ情報要求コマンド（Ｓ５０４）によって、コンテンツ配信手段２６は画面使用フラグ「不使用」で「使用開始」を電源制御手段２２に通知する（Ｓ５０５）。
【００３３】
次に、ネットワークリモコン５からのコンテンツの場所指定コマンド（Ｓ４０７）によって、コンテンツ受信再生手段２５は画面使用フラグ「使用」で「使用開始」を電源制御手段２２に通知する（Ｓ４０８）。さらに、コンテンツ再生要求コマンドを受信（Ｓ４０９）すると電源制御手段２２へ「電源投入信号」を出力し（Ｓ４１０）、源制御手段２２は表示手段２３の電源を投入する（Ｓ４１１）。
【００３４】
この時点で、ネットワークＴＶ３のユーザーはネットワーク経由でコンテンツ装置２のコンテンツをネットワークＴＶ３で視聴し、もう一人のユーザーはネットワークリモコン５でネットワーク装置２とコンテンツサーバー４を操作し、ネットワーク経由でコンテンツサーバー４のコンテンツを、ネットワーク装置２を使って視聴している状態にある。
【００３５】
ここで、ネットワークＴＶ３のユーザーが視聴を止めるとネットワークＴＶ３はコンテンツ配信手段２６にコンテンツ転送終了コマンドを送信し（Ｓ５１２）するが、コンテンツ配信手段２６は画面不使用の機能なのでコンテンツ配信手段２６の電源制御検知機能では何も信号を出力しない（Ｓ６０１）。コンテンツ配信手段２６のネットワーク機能のクライアントが居なくなりタイムアウトが発生すると電源制御手段２２に「使用終了通知」信号を出力する（Ｓ５１３）が、コンテンツ受信再生手段２５のネットワーク機能が使用状態なので電源制御手段２２は電源遮断の処理は行わない（Ｓ６０２）。
【００３６】
次に、ネットワーク装置２を使って視聴しているユーザーが視聴を止めると、コンテンツ受信再生手段２５にコンテンツ転送終了コマンドが送信され（Ｓ４１６）、コンテンツ受信再生手段２５は電源制御手段２２に電源遮断信号を出力し（Ｓ４１８）、それを受けた電源制御手段２２は表示手段２３の電源を遮断する。
【００３７】
さらに、コンテンツ受信再生手段２５のクライアントが居なくなったため、所定時間経過するとタイムアウトが発生し電源制御手段２２に「使用終了通知」信号を出力する（Ｓ６０３）。この時点では、全てのネットワーク機能のクライアントが居ない為、電源制御手段２２は本体機能も使用されていないと判断するとメイン部の電源を遮断（Ｓ６０４）し、ネットワーク装置２を電源投入待ちの状態にする。
このように制御することで、ユーザーがネットワーク装置２の表示手段を使用するときだけ表示手段の電源を投入する事が出来、さらに、ネットワーク装置２が使用されなくなったときは電源を遮断し、電源投入待ちの状態に戻す事が出来る。
【００３８】
次に、図７、図８を用いて電源制御手段２２における電源制御処理を説明する。
図７は電源制御手段における電源投入処理の処理フローの一例である。ネットワーク装置２のリモコンから電源投入信号を受けた場合は装置全体の電源を投入する（Ｓ７０２）。一方、電源投入要求検知手段２１から電源投入信号を受けた場合は、まだ表示手段２３の使用を判断できないためメイン機能手段２４の電源を投入する（Ｓ７０４）。電源制御
検知機能２７から電源投入信号受けた場合は表示手段２３を使用する機能であるため表示手段の電源を投入する（Ｓ７０６）。
【００３９】
図８は電源制御手段における電源切断処理の処理フローの一例である。ネットワーク装置２のリモコンから電源遮断信号を受けた場合は、ネットワーク機能が使用中かを判断し（Ｓ８０２）、使用中の場合はその機能が表示画面２３を使用する表示関連機能であるかどうかを判断する（Ｓ８０３）し、表示関連機能の場合は電源遮断処理を行わず処理を終了する。一方、表示関連機能で無かった場合は表示画面の電源を遮断する（Ｓ８０４）。
また、Ｓ８０２でネットワーク機能未使用と判断した場合は、ネットワーク装置２のここでは記述していないネットワーク機能以外の電源制御方式に従い電源遮断処理を行う（Ｓ８０５）。Ｓ８０１でリモコン以外から電源遮断信号を受けた場合はネットワーク以外の機能が使用中かを判断し（Ｓ８０６）使用中の場合は電源遮断処理を行わず処理を終了する。ネットワーク以外の機能が使用されていない場合はＳ８０２のネットワーク機能が使用中かを判断に移り、その後の処理は先に説明したとおりである。
【００４０】
次に、図９のフローチャートを用いて電源制御検知機能２７の処理を説明する。
電源制御検知機能２７は同じネットワーク手段のネットワーク機能２８への制御コマンド受信の有無を所定の時間毎に確認する（Ｓ９０１）。制御コマンドを受信していないときはＳ９１１の処理に移る。制御コマンドを受信した場合は、この制御コマンドを送信したクライアントが新規クライアントかどうかを判断する（Ｓ９０２）。そして、新規クライアントであった場合は、クライアントを一意に特定する為の識別子をクライアント情報に追加する（Ｓ９０３）。新規クライアントでなかった場合はＳ９０７の処理に移る。次に、クライアント情報を参照し、このクライアントがネットワーク機能にとって最初のクライアントかどうかを判断する（Ｓ９０４）。
【００４１】
最初のクライアントで無かった場合はＳ９０７の処理に移る。最初のクライアントであった場合は、ネットワーク機能の使用状態を「クライアント有り」とし（Ｓ９０５）、このネットワーク機能識別子と画面使用フラグをパラメータとして電源制御手段２２「使用開始通知」を出力する。画面使用フラグはネットワーク機能によっておのずと決まる。すなわちコンテンツを提供するサーバー機能であれば画面使用フラグは「未使用」となり、コンテンツ再生手段を提供する再生機能であれば画面使用フラグは「使用」となる。
【００４２】
Ｓ９０７、Ｓ９０９では受信した制御コマンドが画面使用開始コマンドか、画面使用終了コマンドを判断する。画面使用開始コマンドであった場合は電源制御手段２２に「電源投入信号」を出力し（Ｓ９０８）、画面使用終了コマンドであった場合は電源制御手段２２に「電源遮断信号」を出力する（Ｓ９１０）。どの制御コマンドを画面使用開始コマンドと判断し、画面使用終了コマンドと判断するかはネットワーク機能ごとに規定し、電源制御検知機能２７にあらかじめ登録しておけばよい。例えば、ネットワーク装置２のコンテンツ受信再生手段２５は「コンテンツ再生要求」コマンドを画面使用開始コマンドとし、「コンテンツ転送終了」コマンドを画面使用終了コマンドとしている。なお、ネットワーク機能の画面使用フラグは「未使用」の場合はこの処理は通らない（Ｓ９２０）。
【００４３】
Ｓ９１１は制御コマンドの受信間隔が所定の時間以上空いていないか判断する。所定の時間以上経過していない場合はコマンドの受信待ち（Ｓ９０１）に戻る。所定の時間以上経過していた場合は、このネットワーク機能のクライアントが全て居なくなったと判断して全てのクライアント識別子をクライアント情報から削除し（Ｓ９１２）、ネットワーク機能の使用状態を「クライアント無し」とする。そして、このネットワーク機能が表示画面を使用する機能の場合は、電源制御手段２２に表示画面の電源を切るために「電源遮断信号」を出力し（Ｓ９１５）、さらにネットワーク機能の使用終了を知らせる「使用終了通知」を出力する（Ｓ９１６）。そして、コマンドの受信待ち（Ｓ９０１）に戻り、新しいクライアントからの制御要求を待つ。
以上のように、本発明によればネットワーク経由の操作において必要なときだけモニタ画面の電源やネットワーク装置の電源が投入されるネットワーク装置を提供できる。
【実施例２】
【００４４】
図１０は本発明に係るネットワーク装置２の構成の他の例である実施例２である。図中、図２と同じ機能のものは同じ番号で表し説明は割愛する。１０２のコンテンツ受信再生手段と１０３のコンテンツ配信手段は図２のコンテンツ受信再生手段２５とコンテンツ配信手段２６のネットワーク機能２８だけを備えたものである。電源制御検知機能２７は電源制御検知機能１０１として分離し、ネットワーク装置２の提供するネットワーク機能ための電源制御検知機能２７を一括して管理制御する機能を有するものである。処理は図９で説明した処理と同等である。
【００４５】
このように、電源制御に関する機能とネットワーク機能を分離する事で、ネットワーク機能は一般的な実装を活用でき、本発明のネットワーク装置の構築が容易になるという利点がある。
なお、本明細書は少なくとも下記の発明を開示している。
（１）
他のネットワーク装置からネットワークを介して制御されるネットワーク装置であって、
電源投入信号の入力元で電源投入する機能を判断し、少なくとも表示手段とその他の機能手段とを独立に電源制御する電源制御手段と、
前記ネットワークを介して送信される電源投入要求を検知したら、電源制御手段に電源投入信号を出力する電源投入要求検知手段と、
前記他のネットワーク装置に制御コマンドで自身を制御させるネットワーク機能を提供し、前記ネットワーク機能の少なくとも一つは表示手段を使用する機能であって、表示手段を使用する機能に対応する制御コマンドの受信を検知した場合に、前記電源制御手段に電源投入信号を出力する制御コマンド検知手段と、を備え
前記電源制御手段は、前記電源投入要求検知手段から電源投入信号が入力された場合は前記その他の機能手段の電源を投入し、前記制御コマンド検知手段から電源投入信号が入力された場合は表示手段の電源を投入することを特徴とするネットワーク装置。
（２）
（１）に記載のネットワーク装置において、
前記制御コマンド検知手段の電源は前記その他の機能手段に含まれ、表示手段は前記その他の機能手段の電源が投入されている時だけ電源投入されることを特徴とするネットワーク装置。
（３）
他のネットワーク装置からネットワークを介して制御コマンドにより制御されるネットワーク装置であって、
電源投入信号の入力元で電源投入する機能を判断し、少なくとも表示手段とその他の機能手段とを独立に電源制御する電源制御手段と、
前記ネットワークを介して送信される電源投入要求を検知したら、電源制御手段に電源投入信号を出力する電源投入要求検知手段と、
制御コマンドのうち、特定の制御コマンドを記憶しておき、前記他のネットワーク装置から送信された制御コマンドが前記記憶したコマンドであると検知した場合は、電源制御手段に電源投入信号を出力する制御コマンド検知手段と、を備え
前記電源制御手段は、前記電源投入要求検知手段から電源投入信号が入力された場合は前記その他の機能手段の電源を投入し、前記制御コマンド検知手段から電源投入信号が入力された場合は表示手段の電源を投入することを特徴とするネットワーク装置。
（４）
（３）に記載のネットワーク装置において、
前記制御コマンド検知手段の電源は前記その他の機能手段に含まれ、表示手段は前記その他の機能手段の電源が投入されている時だけ電源投入されることを特徴とするネットワーク装置。
（５）
（３）に記載のネットワーク装置において、前記制御コマンド検知手段に記憶する特定の制御コマンドは、少なくとも表示手段を使用する機能を要求する制御コマンドであることを特徴とするネットワーク装置。
（６）
（１）または（３）の何れか１つに記載のネットワーク装置おいて、前記電源投入要求検知手段が検知する、前記ネットワークを介して送信される電源投入要求はＷＯＬ（Ｗａｋｅ  Ｏｎ  ＬＡＮ）対応のマジックパケットであることを特徴とするネットワーク装置。（７）
（１）または（３）の何れか１つに記載のネットワーク装置おいて、表示手段の電源をＨＤＭＩ（Ｈｉｇｈ‐Ｄｅｆｉｎｉｔｉｏｎ  Ｍｕｌｔｉｍｅｄｉａ  Ｉｎｔｅｒｆａｃｅ）（登録商標）規格のＣＥＣ（Ｃｏｎｓｕｍｅｒ Ｅｌｅｃｔｒｏｎｉｃｓ  Ｃｏｎｔｒｏｌ）コマンドを用いて制御することを特徴とするネットワーク装置。
（８）
他のネットワーク装置からネットワークを介して制御されるネットワーク装置の電源制御方法であって、
電源投入信号の入力元で電源投入する機能を判断し、少なくとも表示部とその他の機能部とを独立に電源制御する電源制御部を有し、
前記ネットワークを介して送信される電源投入要求を検知したら、電源投入信号を出力する電源投入要求検知ステップと、
前記他のネットワーク装置に制御コマンドで自身を制御させるネットワーク機能を提供し、前記ネットワーク機能の少なくとも一つは表示部を使用する機能であって、前記表示部を使用する機能に対応する制御コマンドの受信を検知した場合に、前記電源制御部に電源投入信号を出力する制御コマンド検知ステップと、を有し、
前記電源制御部は、前記電源投入要求検知ステップにより電源投入信号が入力された場合は前記その他の機能部の電源を投入し、前記制御コマンド検知ステップにより電源投入信号が入力された場合は表示部の電源を投入するように動作することを特徴とするネットワーク装置の電源制御方法。
（９）
他のネットワーク装置からネットワークを介して制御コマンドにより制御されるネットワーク装置の電源制御方法であって、
電源投入信号の入力元で電源投入する機能を判断し、少なくとも表示部とその他の機能部とを独立に電源制御する電源制御部と、
前記ネットワークを介して送信される電源投入要求を検知したら、電源制御部に電源投入信号を出力する電源投入要求検知ステップと、
制御コマンドのうち、少なくとも表示部を使用する機能を要求する制御コマンドを記憶しておき、前記他のネットワーク装置から送信された制御コマンドが前記記憶したコマンドであると検知した場合は、電源制御部に電源投入信号を出力する制御コマンド検知ステップと、を備え
前記電源制御部は、前記電源投入要求検知ステップにより電源投入信号が入力された場合は前記その他の機能部の電源を投入し、前記制御コマンド検知ステップにより電源投入信号が入力された場合は表示部の電源を投入することを特徴とするネットワーク装置の電源制御方法。
【産業上の利用可能性】
【００４６】
本発明は表示画面を内蔵あるいは外付けで備えているネットワーク装置をネットワーク経由で電源投入して使用するようなネットワークシステムに有効である。
【符号の説明】
【００４７】
１  ネットワーク
２  ネットワークＴＶ・サーバー（本発明に係るネットワーク装置）
３  ネットワークＴＶ（制御装置）
４  コンテンツサーバー（ネットワーク装置）
５  ネットワークリモコン（制御装置）
１０、１１  コンテンツの流れ
２０  ネットワークＩ／Ｆ手段
２１  電源投入要求検知手段
２２  電源制御手段
２３  表示手段
２４  メイン機能手段
２５  コンテンツ受信再生手段
２６  コンテンツ配信手段
２７  電源制御検知機能
２８  ネットワーク機能
３１  電源投入要求手段
３２  ネットワーク装置制御手段
３３  コンテンツ受信再生制御手段
３４  コンテンツ配信制御手段
１０１  電源制御検知手段
１０２  コンテンツ受信再生手段
１０３  コンテンツ配信手段
【図１】
2014078946.tif 000003
【図２】
2014078946.tif 000004
【図３】
2014078946.tif 000005
【図４】
2014078946.tif 000006
【図５】
2014078946.tif 000007
【図６】
2014078946.tif 000008
【図７】
2014078946.tif 000009
【図８】
2014078946.tif 000010
【図９】
2014078946.tif 000011
【図１０】
2014078946.tif 000012
【手続補正書】
【提出日】平成25年10月21日(2013.10.21)
【手続補正１】
【補正対象書類名】特許請求の範囲
【補正対象項目名】全文
【補正方法】変更
【補正の内容】
【特許請求の範囲】
【請求項１】
他のネットワーク装置とネットワークを介して接続されたコンテンツ出力装置であって、
コンテンツを出力する出力手段と、
前記ネットワークを介して送信される電源投入要求を検知した場合に、第一の電源投入信号を出力する電源投入要求検知手段と、
前記他のネットワーク装置から送信された制御コマンドにより前記コンテンツ受信配信装置を制御し、他のネットワーク装置から送信された制御コマンドが受信したコンテンツを前記出力手段で出力する機能についての制御コマンドであった場合には第二の電源投入信号を出力する、メイン制御手段と
前記第一の電源投入信号が出力された場合は、メイン制御手段の電源を投入し、前記第二の電源投入信号が出力された場合は前記出力手段の電源を投入する電源制御手段と、
を備えることを特徴とするコンテンツ出力装置。
【手続補正３】
【補正対象書類名】明細書
【補正対象項目名】０００６
【補正方法】変更
【補正の内容】
【０００６】
上記目的を解決するために、例えば特許請求の範囲に記載の構成を採用する。
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】